(57)【特許請求の範囲】
【請求項１】
互いに対向する木質板材でなる一対の端板部と、前記一対の端板部の間に設けられる内側木質部とが綴り材により一体化されている荷重支持層と、
前記荷重支持層の外周面を覆うように配置される燃え止まり層と、
前記燃え止まり層の外周面を覆うように配置される木質材からなる燃えしろ層と、を備えた耐火構造材でなる耐火構造材柱の接合構造であって、
接合される２本の前記耐火構造材柱のうちの一方の前記耐火構造材柱は、小口から突出する突出部を有し、
接合される２本の前記耐火構造材柱のうちの他方の前記耐火構造材柱は、前記一方の前記耐火構造材柱が互いに小口を合わせて重ねられたときに、前記突出部が挿入されて、当該突出部の先端が当該他方の前記耐火構造材柱の前記内側木質部に当接される挿入凹部を有し、
前記突出部が前記挿入凹部に挿入された状態で、前記一対の端板部のうちの少なくともいずれか一方の前記端板部と前記内側木質部との間に、前記２本の前記耐火構造材柱間に亘って形成される空隙部に配置され、前記小口より突出された前記内側木質部とともに前記突出部をなす鋼板を有し、
前記２本の耐火構造材柱は各々、前記鋼板を貫通する接合綴り材が前記一対の端板部間に亘って貫入されており、
前記突出部は、前記燃え止まり層及び前記燃えしろ層よりも内側においてのみ前記小口より突出していることを特徴とする耐火構造材柱の接合構造。
【請求項２】
請求項１に記載の耐火構造材柱の接合構造であって、
前記空隙部は、前記一対の端板部と前記内側木質部との間にそれぞれ設けられ、
前記２本の耐火構造材柱は、前記空隙部にそれぞれ配置された２枚の前記鋼板を貫通する前記接合綴り材により接合されていることを特徴とする耐火構造材柱の接合構造。
【請求項３】
請求項１または請求項２に記載の耐火構造材柱の接合構造であって、
各々の前記耐火構造材柱の前記燃え止まり層には前記接合綴り材が挿通される第一挿通孔が形成されており、
前記第一挿通孔には、燃え止まり機能を有する部材が封入されていることを特徴とする耐火構造材柱の接合構造。
【請求項４】
請求項１乃至請求項３のいずれかに記載の耐火構造材柱の接合構造であって、
各々の前記耐火構造材柱の前記燃えしろ層には前記接合綴り材が挿通される第二挿通孔が形成されており、
前記第二挿通孔には、前記燃えしろ層と同じ材質の部材が封入されていることを特徴とする耐火構造材柱の接合構造。
【請求項５】
請求項1乃至請求項４のいずれかに記載の耐火構造材柱の接合構造であって、
前記鋼板は、接合されたときに下側に位置する前記耐火構造材柱の側面から、当該鋼板の面に沿う方向に沿って側方に突出する梁接合部を有し、
前記梁接合部に前記耐火構造材でなる耐火構造材梁が接合されることを特徴とする耐火構造材柱の接合構造。
【請求項６】
請求項５に記載の耐火構造材柱の接合構造であって、
前記耐火構造材梁は、一対の梁端板部と前記一対の梁端板部の間に設けられる梁内側木質部とのうちの一方の、他方と対向する対向面に前記他方の対向面から離れる方向に凹設されて前記梁接合部が挿入される鋼板挿入部を備え、
前記一対の梁端板部間に亘り前記梁接合部を貫通する接合綴り材により前記耐火構造材柱と接合されていることを特徴とする耐火構造材柱の接合構造。
【請求項７】
請求項５または請求項６に記載の耐火構造材柱の接合構造であって、
前記耐火構造材梁の前記荷重支持層の上にスラブが設けられていることを特徴とする耐火構造材柱の接合構造。
【請求項８】
互いに対向する木質板材でなる一対の端板部と、前記一対の端板部の間に設けられる内側木質部とが綴り材により一体化されている荷重支持層と、
前記荷重支持層の外周面を覆うように配置される燃え止まり層と、
前記燃え止まり層の外周面を覆うように配置される木質材からなる燃えしろ層と、を備えた耐火構造材でなる２本の耐火構造材柱のうちの一方となる第一の前記耐火構造材柱が備える第一の前記一対の端板部と第一の前記内側木質部のうちの一方に対向する他方から離れる方向に窪ませて第一凹部を形成し、前記第一の前記一対の端板部の先端より前記第一の前記内側木質部の先端を小口より突出させるとともに前記第一凹部から前記第一の前記内側木質部の先端まで鋼板を配置して前記第一の前記内側木質部と前記第一の前記一対の端板部とを積層して前記第一の前記一対の端板部間に亘る綴り材を貫入させて一体化し、前記第一の前記一対の端板部より突出する前記第一の前記内側木質部と前記鋼板とでなる突出部を備えた第一の前記荷重支持層を形成し、
前記第一の前記荷重支持層の外側に第一燃え止まり層を形成し、
前記第一燃え止まり層の外側に木質材からなる第一燃え止まり層を形成して前記第一の耐火構造材柱を形成する第一の耐火構造材柱形成ステップと、
接合される２本の前記耐火構造材柱のうちの他方となる第二の前記耐火構造材柱が備える第二の前記一対の端板部と第二の前記内側木質部のうちの一方に対向する他方から離れる方向に窪ませて、前記２本の前記耐火構造材柱が接合されたときに前記第一凹部と繋がる第二凹部を形成し、前記第二の前記内側木質部の先端より前記第二の前記一対の端板部の先端を突出させて、前記第二の前記一対の端板部と前記第二の前記内側木質部とを積層して前記第二の前記一対の端板部間に亘る綴り材を貫入させて一体化し、前記第二の前記一対の端板部より窪み、前記突出部が挿入される挿入凹部を備えた第二の前記荷重支持層を形成し、
前記第二の前記荷重支持層の外側に第二燃え止まり層を形成し、
前記第二燃え止まり層の外側に木質材からなる第二の燃え止まり層を形成して前記第二の耐火構造材柱を形成する第二の耐火構造材柱形成ステップと、
前記第一の前記耐火構造材柱の前記突出部を前記第二の前記耐火構造材柱の前記挿入凹部に挿入し、前記鋼板を貫通する接合綴り材を前記第二の前記一対の端板部間に亘らせて貫入する接合ステップと、
を有する耐火構造材柱の接合方法であって、
前記突出部を、前記燃え止まり層及び前記燃えしろ層よりも内側においてのみ前記小口より突出させることを特徴とする耐火構造材柱の接合方法。
【発明の詳細な説明】
【技術分野】
【０００１】
本発明は、耐火構造材柱の接合構造、および、耐火構造材柱の接合方法に関する。
【背景技術】
【０００２】
耐火構造材柱の接合構造としては、たとえば、荷重を支持する木製の心材と、心材の外周を囲む燃え止まり層と、燃え止まり層の外周を囲む燃えしろ層とを備えた、上柱と下柱との柱接合構造が知られている(例えば、特許文献１参照)。この柱接合構造の第一実施形態として、角筒形状の筒状部材を用い、下柱の燃え止まり層の上面より上方へ突出する心材の下柱突出部が筒状部材の下部に挿入され、上柱の燃え止まり層の下面より下方へ突出する上柱突出部が筒状部材の上部に挿入されて、上柱の心材の下面から下柱の心材の上面へ軸力が伝達されるように上柱の心材と下柱の心材とを繋ぎ、その外周を平面がL字状をなし燃え止まり層と燃えしろ層とを備えた４つのブロック体により取り囲むことが示されている。また、第二実施形態として、平面視略十字状に配置された鋼板でなる挿入部材を用い、下柱の心材の上面に形成された平面視十字状の溝部に挿入部材の下部が挿入され、上柱の心材の下面に形成された平面視十字状の溝部に挿入部材の上部が挿入されて上柱の心材の下面から下柱の心材の上面へ軸力が伝達されるとともに、上柱の心材と下柱の心材と軸回りの相対回転を抑えるように上柱の心材と下柱の心材とを繋ぐことが示されている。
【先行技術文献】
【特許文献】
【０００３】
【特許文献１】特開２０１２−２４６６０９号公報
【発明の概要】
【発明が解決しようとする課題】
【０００４】
上記のような柱接合構造は、筒状部材やブロック体を用いる場合には、使用する部材が多く、施工工数が多く時間がかかるとともに、接合された柱の両面に部材の継ぎ目が多く現れるため、美観が損なわれるという課題がある。また、挿入部材を用いる場合には、上柱の心材の下面及び下柱の心材の下面に各々、挿入部材形状に合わせた溝を形成しなければならない。すなわち、長尺の上柱及び下柱の小口に正確な溝を形成しなければならず、煩雑な作業のため多くの時間を費やさなければならないという課題がある。
【０００５】
本発明はかかる従来の課題に鑑みてなされたものであり、その目的とするところは、施工が容易で美観に優れた耐火構造材柱の接合構造、及び、耐火構造材柱の接合方法を提供することにある。
【課題を解決するための手段】
【０００６】
かかる目的を達成するために本発明の耐火構造材柱の接合構造は、
互いに対向する木質板材でなる一対の端板部と、前記一対の端板部の間に設けられる内側木質部とが綴り材により一体化されている荷重支持層と、
前記荷重支持層の外周面を覆うように配置される燃え止まり層と、
前記燃え止まり層の外周面を覆うように配置される木質材からなる燃えしろ層と、を備えた耐火構造材でなる耐火構造材柱の接合構造であって、
接合される２本の前記耐火構造材柱のうちの一方の前記耐火構造材柱は、小口から突出する突出部を有し、
接合される２本の前記耐火構造材柱のうちの他方の前記耐火構造材柱は、前記一方の前記耐火構造材柱が互いに小口を合わせて重ねられたときに、前記突出部が挿入されて、当該突出部の先端が当該他方の前記耐火構造材柱の前記内側木質部に当接される挿入凹部を有し、
前記突出部が前記挿入凹部に挿入された状態で、前記一対の端板部のうちの少なくともいずれか一方の前記端板部と前記内側木質部との間に、前記２本の前記耐火構造材柱間に亘って形成される空隙部に配置され、前記小口より突出された前記内側木質部とともに前記突出部をなす鋼板を有し、
前記２本の耐火構造材柱は各々、前記鋼板を貫通する接合綴り材が前記一対の端板部間に亘って貫入されており、
前記突出部は、前記燃え止まり層及び前記燃えしろ層よりも内側においてのみ前記小口より突出していることを特徴とする耐火構造材柱の接合構造である。
【０００７】
このような耐火構造材柱の接合構造によれば、２本の耐火構造材柱の荷重支持層はいずれも、一対の端板部と一対の端板部の間に設けられる内側木質部とが積層されて綴り材により一体化されており、鋼板が配置される、２本の耐火構造材柱間に亘る空隙部は一対の端板部のうちの少なくともいずれか一方の端板部と内側木質部との間に形成されているので、一対の端板部または内側木質部、或いは、一対の端板部及び内側木質部の側面に加工を施すだけで容易に鋼板を２本の耐火構造材柱間に亘らせて配置することが可能である。また、２本の耐火構造材柱間に亘る鋼板を貫通する接合綴り材が一対の端板部間に亘って貫入されているので、２本の耐火構造材柱を強固に接合することが可能である。
【０００８】
また、接合された２本の耐火構造材柱の外周に現れる継ぎ目は、２本の耐火構造材の境界部だけなので、耐火構造材柱の美観を損なうことはない。このため、施工が容易で美観に優れた耐火構造材柱の接合構造を提供することが可能である。
【０００９】
かかる耐火構造材柱の接合構造であって、
前記空隙部は、前記一対の端板部と前記内側木質部との間にそれぞれ設けられ、
前記２本の耐火構造材柱は、前記空隙部にそれぞれ配置された２枚の前記鋼板を貫通する前記接合綴り材により接合されていることが望ましい。
【００１０】
このような耐火構造材柱の接合構造によれば、２本の耐火構造材柱は、一対の端板部と内側木質部との間にそれぞれ設けられた２枚の鋼板を貫通する接合綴り材により接合されているので、２本の耐火構造材柱を、より強固に接合することが可能である。
【００１１】
かかる耐火構造材柱の接合構造であって、各々の前記耐火構造材柱の前記燃え止まり層には前記接合綴り材が挿通される第一挿通孔が形成されており、
前記第一挿通孔には、燃え止まり機能を有する部材が封入されていることが望ましい。
【００１２】
このような耐火構造材柱の接合構造によれば、燃え止まり層は、接合綴り材が挿通される第一挿通孔にも燃え止まり機能を有する部材が封入されているので、荷重支持層全体を隙間無く燃え止まり層で囲うことが可能である。このため、より耐火性の高い耐火構造材梁と耐火構造材柱との接合構造を実現することが可能である。
【００１３】
かかる耐火構造材柱の接合構造であって、各々の前記耐火構造材柱の前記燃えしろ層には前記接合綴り材が挿通される第二挿通孔が形成されており、
前記第二挿通孔には、前記燃えしろ層と同じ材質の部材が封入されていることが望ましい。
【００１４】
このような耐火構造材柱の接合構造によれば、燃えしろ層は、接合綴り材が挿通される第二挿通孔にも燃えしろ層と同じ材質の部材が挿入されているので、燃え止まり層全体を隙間無く、単一の材質でなる燃えしろ層により囲うことが可能である。
【００１５】
かかる耐火構造材柱の接合構造であって、
前記鋼板は、接合されたときに下側に位置する前記耐火構造材柱の側面から、当該鋼板の面に沿う方向に沿って側方に突出する梁接合部を有し、
前記梁接合部に前記耐火構造材でなる耐火構造材梁が接合されることが望ましい。
【００１６】
このような耐火構造材柱の接合構造によれば、２本の耐火構造材柱を接合するための鋼板が、耐火構造材梁を接合するための梁接合部を備えているので、耐火構造材柱同士を接合するばかりでなく、他の部材を追加することなく耐火構造材梁をも容易に接合することが可能である。
【００１７】
かかる耐火構造材柱の接合構造であって、前記耐火構造材梁は、一対の梁端板部と前記一対の梁端板部の間に設けられる梁内側木質部とのうちの一方の、他方と対向する対向面に前記他方の対向面から離れる方向に凹設されて前記梁接合部が挿入される鋼板挿入部を備え、
前記一対の梁端板部間に亘り前記梁接合部を貫通する接合綴り材により前記耐火構造材柱と接合されていることが望ましい。
【００１８】
このような耐火構造材柱の接合構造によれば、耐火構造材梁が耐火構造材柱と接合される梁接合部が挿入される鋼板挿入部は一対の梁端板部と梁内側木質部との間に備えられているので、耐火構造材梁の一対の梁端板部または梁内側木質部、或いは、一対の梁端板部及び梁内側木質を加工して鋼板挿入部を形成することが可能である。このため、耐火構造材梁を接合する場合においても、木質板材の側面に加工を施すだけで容易に鋼板挿入部を形成することが可能である。
【００１９】
かかる耐火構造材柱の接合構造であって、前記耐火構造材梁の前記荷重支持層の上にスラブが形成されていることが望ましい、
このような耐火構造材柱の接合構造によれば、耐火構造材梁の荷重支持層の上にスラブが設けられているので上下に隣接する階床の耐火構造材柱を接合するとともに、上階床の床を支持する耐火構造材梁も備えることが可能である。また、スラブは耐火構造材梁の荷重支持層の上に設けられているので、スラブにより耐火構造材梁の荷重支持層の上に燃え止まり層を形成することが可能である。
【００２０】
また、互いに対向する木質板材でなる一対の端板部と、前記一対の端板部の間に設けられる内側木質部とが綴り材により一体化されている荷重支持層と、
前記荷重支持層の外側に配置される燃え止まり層と、
前記燃え止まり層の外側に配置される木質材からなる燃えしろ層と、を備えた耐火構造材でなる２本の前記耐火構造材柱のうちの一方となる第一の前記耐火構造材柱が備える第一の前記一対の端板部と第一の前記内側木質部のうちの一方に対向する他方から離れる方向に窪ませて第一凹部を形成し、前記第一の前記一対の端板部の先端より前記第一の前記内側木質部の先端を突出させるとともに前記第一凹部から前記第一の前記内側木質部の先端まで鋼板を配置して前記第一の前記内側木質部と前記第一の前記一対の端板部とを積層して前記第一の前記端板部間に亘る綴り材を貫入させて一体化し、前記第一の前記一対の端板部より突出する前記第一の前記内側木質部と前記鋼板とでなる突出部を備えた第一の前記荷重支持層を形成し、
前記第一の前記荷重支持層の外側に第一燃え止まり層を形成し、
前記第一燃え止まり層の外側に木質材からなる第一燃え止まり層を形成して前記第一の耐火構造材柱を形成する第一の耐火構造材柱形成ステップと、
接合される２本の前記耐火構造材柱のうちの他方となる第二の前記耐火構造材柱が備える第二の前記一対の端板部と前記第二の内側木質部のうちの一方に対向する他方から離れる方向に窪ませて、前記２本の前記耐火構造材柱が接合されたときに前記第一凹部と繋がる第二凹部を形成し、前記第二の前記内側木質部の先端より前記第二の前記一対の端板部の先端を突出させて、前記第二の前記一対の端板部と前記第二の前記内側木質部とを積層して前記第二の前記端板部間に亘る綴り材を貫入させて一体化し、前記第二の前記一対の端板部より窪み、前記突出部が挿入される挿入凹部を備えた第二の前記荷重支持層を形成し、
前記第二の前記荷重支持層の外側に第二燃え止まり層を形成し、
前記第二燃え止まり層の外側に木質材からなる第二の燃え止まり層を形成して前記第二の耐火構造材柱を形成する第二の耐火構造材柱形成ステップと、
前記第一の前記耐火構造材柱の前記突出部を前記第二の前記耐火構造材柱の前記挿入凹部に挿入し、前記鋼板を貫通する接合綴り材を前記第二の前記一対の端板部間に亘らせて貫入する接合ステップと、
を有することを特徴とする耐火構造材柱の接合方法である。
【００２１】
このような耐火構造材柱の接合方法によれば、鋼板が配置される第一凹部を、第一の一対の端板部と第一の内側木質部のうちの一方に形成した後に、第一の一対の端板部と第一の内側木質部とを積層し、第一の一対の端板部間に亘る綴り材を貫入させて一体化して第一の耐火構造材柱を形成する。また、鋼板が配置される第二凹部を、第二の一対の端板部と第二の内側木質部のうちの一方に形成した後に、第二の一対の端板部と第二の内側木質部とを積層し、第二の一対の端板部間に亘る綴り材を貫入させて一体化して第二の耐火構造材柱を形成する。このため、鋼板を挿入するための第一凹部及び第二凹部を第一の一対の端板部及び第二の一対の端板部または第一の内側木質部及び第二の内側木質部の側面を加工して形成することが可能であり、荷重支持層に小口側から溝を形成するよりも簡単に且つ短時間で一方の耐火構造材柱を形成することが可能である。
【００２２】
また、第一の耐火構造材柱の突出部を第二の耐火構造材柱の挿入凹部に挿入して、鋼板が挿入された第二の耐火構造材柱の第二の一対の端板部間に亘る接合綴り材を貫入させるだけで容易に２本の耐火構造材柱をより強固に接合することが可能である。
【発明の効果】
【００２３】
本発明によれば、施工が容易で美観に優れた耐火構造材柱の接合構造、及び、耐火構造材柱の接合方法を提供することが可能である。
【図面の簡単な説明】
【００２４】
【図１】本発明にかかる耐火構造材の一実施形態を示す図である。
【図２】耐火構造材柱の接合構造の一実施例を示す斜視図である。
【図３】耐火構造材柱の接合構造の一実施例を示し積層方向と直交する方向に破断した縦断面図である。
【図４】耐火構造材柱の接合構造の一実施例を示し積層方向に破断した縦断面図である。
【図５】耐火構造材柱の接合方法を示す図である。
【図６】耐火構造材柱の接合構造の他の実施例を示す斜視図である。
【図７】は、耐火構造材柱の接合構造の他の実施例を示し積層方向と直交する方向に破断した縦断面図である。
【発明を実施するための形態】
【００２５】
以下、本発明にかかる一実施形態について図面を参照しつつ詳細に説明する。
【００２６】
まず、接合する耐火構造材柱をなす耐火構造材について説明する。
【００２７】
図1は、本発明にかかる耐火構造材の一実施形態を示す図である。本実施形態の耐火構造材１は、芯部をなし荷重を支持するための、木質材からなる荷重支持層２と、荷重支持層２の外側に配置される耐火材からなる燃え止まり層３と、燃え止まり層３の外側に配置される木質材からなる燃えしろ層４と、を備えている。
【００２８】
荷重支持層２は、断面略矩形状をなし、製材、集成材、ＬＶＬ等の板状をなす木質板材としての木質ブロック２１を複数積層し、積層されている積層方向に綴り材としてのビス５が貫入されて一体化されている。以下の説明においては、荷重支持層２を形成し、積層された複数の木質ブロック２１のうちの、積層方向において両端に位置する２枚の木質ブロック２１をそれぞれ端板部２１ａと称し、一対の端板部２１ａの間に位置する１枚以上の木質ブロック２１を内側木質部２１ｂと称する。すなわち、荷重支持層２は、一対の端板部２１ａ間に亘るビス５により一対の端板部２１ａと内側木質部２１ｂとが接合されて一体化されている。ここで、内側木質部２１ｂを構成する木質ブロック２１は、１枚でも、複数積層されていても構わない。
【００２９】
燃え止まり層３は、荷重支持層２の外周面を覆うように各々の面に耐火材としての石膏ボードがビスにより取り付けられている。ここで、燃え止まり層３を形成する部材は石膏ボードに限らず、例えば、高熱容量材であるモルタル、石材、ガラス、繊維補強セメント等の無機質材料、各種の金属材料の他、中空矩形断面の金属製のパイプ内に無機材料、液体金属、水、無機水和塩、消石灰等の蓄熱材料を充填して一体化したもの等であったり、断熱材である不燃木材、難燃処理材、珪酸カルシウム板、ロックウール、グラスウール等であったり、熱慣性の大きい木材であるセランガンバツ、ジャラ、ボンゴシ等であっても構わない。
【００３０】
燃えしろ層４は、荷重支持層２と同様のひき板や単板（ＬＶＬ）等からなる単材を複数集成した木質材が燃え止まり層３の外周面を覆うように各々の面に接着剤により取り付けられている。
【００３１】
図２は、耐火構造材柱の接合構造の一実施例を示す斜視図である。図３は、耐火構造材柱の接合構造の一実施例を示し積層方向と直交する方向に破断した縦断面図である。図４は、耐火構造材柱の接合構造の一実施例を示し積層方向に破断した縦断面図である。
【００３２】
本実施形態においては、図２〜図４に示すように、建物の下階の耐火構造材柱６と上階の耐火構造材柱７とを接合する耐火構造材柱の接合構造について説明し、上階の床スラブ１０と床スラブ１０を支持し下階の耐火構造材柱６の上端部に接合される耐火構造材梁１１とを備えている。
【００３３】
接合される２本の耐火構造材柱のうちの一方は第一の耐火構造材柱としての下階の耐火構造材柱（以下、下耐火構造材柱という）６であり、他方は第一の耐火構造材柱としての上階の耐火構造材柱（以下、上耐火構造材柱という）７である。下耐火構造材柱６と上耐火構造材柱７とは、耐火構造材１を製造する工程において、接合部をなす下耐火構造材柱６の上端と、上耐火構造材柱７の下端とが接合可能な形状に形成されている。
【００３４】
下耐火構造材柱６は、その長手方向において、第一の燃えしろ層としての下燃えしろ層６４、第一の燃え止まり層としての下燃え止まり層６３、第一の一対の端板部としての一対の下端板部６２ａより第一の内側木質部としての下内側木質部６２ｂが上方に突出するように形成され、一対の下端板部６２ａと下内側木質部６２ｂとの間から下端板部６２ａより突出している下内側木質部６２ｂの突出部６２ｄに沿うように、上耐火構造材柱７と下耐火構造材柱６とを接合するための２枚の鋼板８が配置されている。
【００３５】
下耐火構造材柱６の、下内側木質部６２ｂと隣接する一対の下端板部６２ａには各々、下内側木質部６２ｂと対向する対向面に下内側木質部６２ｂから離れる方向に凹設させて、鋼板８が配置される第一凹部としての下柱凹部６２ｃが形成されている。すなわち、鋼板８は、一対の下端板部６２ａに形成された下柱凹部６２ｃにより一対の下端板部６２ａと下内側木質部６２ｂとの間の空隙に挿入され、一対の下端板部６２ａと下内側木質部６２ｂとの間に挟まれている部位にて一対の下端板部６２ａ間に亘るように貫入されたドリフトピン９により固定されている。
【００３６】
鋼板８には、下耐火構造材柱６の一対の下端板部６２ａと下内側木質部６２ｂとの間に配置される部位から水平方向における一方側に鋼板８の面に沿って延出され、下燃えしろ層６４より側方に突出し、耐火構造材梁１１が接合される梁接合部８１が設けられている。このため、第一の荷重支持層としての下荷重支持層６２の外側に設けられている下燃え止め層６３及び下燃え止まり層６４は、梁接合部８１が突出する部位、対向する梁接合部８１間及びそれらの上方には設けられていない。
【００３７】
上耐火構造材柱７の下端部には、鋼板８が取り付けられた下耐火構造材柱６の上方に突出している下内側木質部６２ｂと下内側木質部６２ｂに沿って突出している鋼板８とが挿入される挿入凹部７ａが形成されている。
【００３８】
挿入凹部７ａは、上耐火構造材柱７が、下耐火構造材柱６の上に配置されたときに、下耐火構造材柱６の下内側木質部６２ｂの上面６２ｅが上耐火構造材柱７の第二の内側木質部としての上内側木質部７２ｂの下面７２ｄに当接されるように上内側木質部７２ｂが第二の一対の端板部としての一対の上端板部７２ａより短く形成されている。また、一対の上端板部７２ａには、互いに対向する上内側木質部７２ｂ側の対向面に互いに離れる方向に凹設させて、鋼板８が配置される第二凹部としての上柱凹部７２ｃが形成されている。
【００３９】
上耐火構造材柱７が、下耐火構造材柱６の上に配置された状態では、下柱凹部６２ｃと上柱凹部７２ｃとが繋がって形成される空隙部１２に鋼板８が、下耐火構造材柱６と上耐火構造材柱７とに亘るように配置され、梁接合部８１が下耐火構造材柱６の下燃えしろ層６４より外側に突出している。下柱凹部６２ｃと上柱凹部７２ｃに鋼板８が収容された部位には、鋼板８を貫通する方向に下耐火構造材柱６および上耐火構造材柱７をそれぞれ貫通する複数の貫通孔６ａ、７ｂが設けられており、各貫通孔６ａ、７ｂに、一対の下端板部６２ａおよび上端板部７２ａ間に亘るようにドリフトピン９がそれぞれ貫入されていることにより下耐火構造材柱６と上耐火構造材柱７とが接合されている。
【００４０】
また、下燃え止まり層６３に形成された挿通孔６３ａには、下燃え止まり層６３と同じ材質の封入部材６３ｂが封入され、上燃え止まり層７３に形成された挿通孔７３ａには、上燃え止まり層７３と同じ材質の封入部材７３ｂが封入されている。また、下燃えしろ層６４に形成された挿通孔６４ａには、下燃えしろ層６４と同じ材質の封入部材６４ｂが封入され、上燃えしろ層７４に形成された挿通孔７４ａには、上燃えしろ層７４と同じ材質の封入部材７４ｂが封入されている。ここで、上燃えしろ層７４が第二の燃えしろ層に相当する。
【００４１】
耐火構造材梁１１は、一対の梁端板部１１２ａと梁内側木質部１１２ｂとからなる梁荷重支持層１１２における木質ブロック２１の積層方向における両側と梁荷重支持層１１２の下とに燃え止まり層１１３および燃えしろ層１１４が設けられている。すなわち、スラブ１０が設けられる上部には、燃え止まり層１１３および燃えしろ層１１４は設けられていない。また、梁内側木質部１１２ｂと隣接する一対の梁端板部１１２ａには各々、梁内側木質部１１２ｂと対向する対向面に梁内側木質部１１２ｂから離れる方向に凹設させて、鋼板８の梁接合部８１が配置される鋼板挿入部としての梁凹部１１２ｃが形成されている。
【００４２】
耐火構造材梁１１の小口が、下耐火構造材柱６に当接された状態では、梁凹部１１２ｃに梁接合部８１が挿入されており、梁凹部１１２ｃに梁接合部８１が収容された部位には、梁接合部８１を貫通する方向に耐火構造材梁１１を貫通する複数の貫通孔１１ａが設けられており、各貫通孔１１ａに、一対の梁端板部１１２ａ間に亘るようにドリフトピン９がそれぞれ貫入されていることにより下耐火構造材柱６と耐火構造材梁１１とが接合されている。
【００４３】
本実施形態の耐火構造材柱６、７の接合構造によれば、下耐火構造材柱６の下荷重支持層６２は、一対の下端板部６２ａと、一対の下端板部６２ａの間に設けられる下内側木質部６２ｂとが積層されてビス５により一体化されており、下耐火構造材柱６と上耐火構造材柱７との間に亘る鋼板８が配置される下柱凹部６２ｃは、下耐火構造材柱６の突出部６２ｄが上耐火構造材柱７の挿入凹部７ａに挿入された状態で、一対の下端板部６２ａと下内側木質部６２ｂとの間に形成されているので、一対の下端板部６２ａまたは下内側木質部６２ｂの側面、或いは、一対の下端板部６２ａ及び下内側木質部６２ｂの側面に加工を施すだけで、下柱凹部６２ｃを形成することが可能である。また、上耐火構造材柱７の上荷重支持層７２は、一対の上端板部７２ａと、一対の上端板部７２ａの間に設けられる上内側木質部７２ｂの間に設けられる上内側木質部７２ｂとが積層されてビス５により一体化されており、下耐火構造材柱６と上耐火構造材柱７との間に亘る鋼板８が配置される上柱凹部７２ｃは、下耐火構造材柱６の突出部６２ｄが上耐火構造材柱７の挿入凹部７ａに挿入された状態で、一対の上端板部７２ａと上内側木質部７２ｂとの間に形成されているので、一対の上端板部７２ａまたは上内側木質部７２ｂ、或いは、一対の上端板部７２ａ及び上内側木質部７２ｂに加工を施すだけで、上柱凹部７２ｃを形成することが可能である。このため、木質ブロック２１の側面に加工を施すだけで容易に下柱凹部６２ｃおよび上柱凹部７２ｃを形成することが可能である。
【００４４】
また、接合された下耐火構造材柱６および上耐火構造材柱７の外周に現れる継ぎ目は、下耐火構造材柱６と上耐火構造材柱７との境界部だけなので、下耐火構造材柱６および上耐火構造材柱７の美観を損なうことはない。このため、施工が容易で美観に優れた耐火構造材柱６、７の接合構造を提供することが可能である。
【００４５】
また、下耐火構造材柱６と上耐火構造材柱７とを接合するための鋼板８が、耐火構造材梁１１を接合するための梁接合部８１を備えているので、下耐火構造材柱６と上耐火構造材柱７とを接合するばかりでなく、他の部材を追加することなく耐火構造材梁１１をも容易に接合することが可能である。
【００４６】
また、耐火構造材梁１１が下耐火構造材柱６と接合される梁接合部８１が挿入される梁凹部１１２ｃは一対の梁端板部１１２ａと梁内側木質部１１２ｂとの間に備えられているので、耐火構造材梁１１の一対の梁端板部１１２ａまたは梁内側木質部１１２ｂ、或いは、一対の梁端板部１１２ａ及び梁内側木質部１１２ｂを加工して梁凹部１１２ｃを形成することが可能である。このため、耐火構造材梁１１を接合する場合においても、木質ブロック２１の側面に加工を施すだけで容易に梁凹部１１２ｃを形成することが可能である。
【００４７】
また、耐火構造材梁１１の梁荷重支持層１１２の上にスラブ１０が設けられているので上下に隣接する階床の下耐火構造材柱６と上耐火構造材柱７を接合するとともに、上階床の床スラブ１０を支持する耐火構造材梁１１も備えることが可能である。また、スラブ１０は耐火構造材梁１１の梁荷重支持層１１２の上に設けられているので、スラブ１０により耐火構造材梁１１の梁荷重支持層１１２の上に燃え止まり層を形成することが可能である。
【００４８】
次に、上述した下耐火構造材柱６と上耐火構造材柱７との接合方法について説明する。図５は、耐火構造材柱の接合方法を示す図である。
【００４９】
下耐火構造材柱６と上耐火構造材柱７とを接合する場合には、鋼板８を備えた下耐火構造材柱６、上耐火構造材柱７および耐火構造材梁１１とを各々工場等にて製造し（第一耐火構造材柱形成ステップＳ１１、第二耐火構造材柱形成ステップＳ１２、耐火構造材梁形成ステップＳ１３）、製造した下耐火構造材柱６、上耐火構造材柱７および耐火構造材梁１１とを現場に搬入し、現場において下耐火構造材柱６に上耐火構造材柱７の下端および耐火構造材梁１１の先端を当接させてドリフトピン９を貫入して接合する（接合ステップＳ１４）。
【００５０】
第一耐火構造材柱形成ステップＳ１１では、まず、下荷重支持層６２を形成する複数の木質ブロック２１のうちの積層方向において両端に配置されて一対の下端板部６２ａをなす木質ブロック２１の、内側に配置される下内側木質部６２ｂをなす木質ブロック２１と対向する対向面に鋼板８を配置するための下柱凹部６２ｃを形成する。このとき、鋼板８の厚みより僅かに薄く、下端板部６２ａの下内側木質部６２ｂ側の面を、先端から鋼板８の長さのほぼ半分に相当する分だけ切除する。
【００５１】
次に、下内側木質部６２ｂを一対の下端板部６２ａより突出させて、下内側木質部６２ｂの両側に下端板部６２ａを配置して積層し、下柱凹部６２ｃを避けてビス５により下内側木質部６２ｂと下端板部６２ａとを一体化して下荷重支持層６２を形成する。
【００５２】
次に、下柱凹部６２ｃに配置した鋼板８と下内側木質部６２ｂとが上方に突出し、且つ、梁接合部８１が一対の下端板部６２ａおよび下内側木質部６２ｂより側方に突出するように、ドリフトピン９が貫入される貫通孔を備えた鋼板８を配置する。次に、下荷重支持層６２の外側に石膏ボードをビスにより固定して下燃え止まり層６３を形成する。このとき、一対の下端板部６２ａおよび下内側木質部６２ｂより側方に梁接合部８１が突出している部位、２枚の鋼板８の梁接合部８１間、およびそれらの上方には石膏ボードは配置しない。
【００５３】
次に、下燃え止まり層６３の外側に木質ブロック２１を接着して下燃えしろ層６４を形成する。下燃えしろ層６４が備えられた下耐火構造材柱６には、積層方向に貫通しドリフトピン９が貫入される貫通孔６ａを形成しておく。
【００５４】
第二耐火構造材柱形成ステップＳ１２では、まず、上荷重支持層７２を形成する複数の木質ブロック２１のうちの積層方向において両端に配置される一対の上端板部７２ａをなす木質ブロック２１の、内側に配置される上内側木質部７２ｂをなす木質ブロック２１と対向する対向面に鋼板８を配置するための上柱凹部７２ｃを形成する。このとき、鋼板８の厚みより僅かに薄く、上端板部７２ａの上内側木質部７２ｂ側の面を、先端部分であって下耐火構造材柱６が接合される面側に鋼板８が挿入される長さに相当する分だけ切除する。
【００５５】
次に、上内側木質部７２ｂの両側に上端板部７２ａを配置して積層し、上柱凹部７２ｃを避けてビス５により上内側木質部７２ｂと上端板部７２ａとを一体化して上荷重支持層７２を形成する。このとき、上内側木質部７２ｂの下端が、上端板部７２ａ、上燃え止まり層７３および上燃えしろ層７４の下端より、下耐火構造材柱６の突出部６２ｄの高さ分だけ高くなるように配置する。
【００５６】
次に、上荷重支持層７２の外側に石膏ボードをビスにより固定して上燃え止まり層７３を形成し、上燃え止まり層７３の外側に木質ブロック２１を接着して上燃えしろ層７４を形成する。このように形成された上耐火構造材柱７の下端部には、下耐火構造材柱６の突出部６２ｄが挿入される挿入凹部７ａが形成される。また、燃えしろ層７４が備えられた耐火構造材柱７には、積層方向に貫通しドリフトピン９が貫入される貫通孔７ｂを形成しておく。
【００５７】
耐火構造材梁形成ステップＳ１３では、まず、梁荷重支持層１１２を形成する複数の木質ブロック２１のうちの積層方向において両端に配置される一対の梁端板部１１２ａをなす木質ブロック２１の、内側に配置される梁内側木質部１１２ｂをなす木質ブロック２１と対向する対向面に梁接合部８１を配置するための梁凹部１１２ｃを形成する。このとき、梁接合部８１の厚みより僅かに薄く、梁端板部１１２ａの梁内側木質部１１２ｂ側の面を、下耐火構造材柱６の下燃えしろ層６４の表面から突出している長さに相当する分だけ切除する。
【００５８】
次に、梁内側木質部１１２ｂの両側に梁端板部１１２ａを配置して積層し、梁凹部１１２ｃを避けてビス５により梁内側木質部１１２ｂと梁端板部１１２ａとを一体化して梁荷重支持層１１２を形成する。
【００５９】
次に、梁荷重支持層１１２の外側に石膏ボードをビスにより固定して梁燃え止まり層１１３を形成し、梁燃え止まり層１１３の外側に木質ブロック２１を接着して梁燃えしろ層１１４を形成する。
【００６０】
このように形成された下耐火構造材柱６の下燃えしろ層６４から繋がった貫通孔６ａに、一対の下端板部６２ａ間に亘るようにドリフトピン９を貫入して鋼板８を下耐火構造材柱６に固定した後に、下耐火構造材柱６、上耐火構造材柱７および耐火構造材梁１１を施工現場に搬入する。
【００６１】
接合ステップＳ１４では、下耐火構造材柱６が立てられたのちに、まず梁接合部８１を梁凹部１１２ｃに挿入しつつ耐火構造材梁１１を下耐火構造材柱６に当接させて貫通孔１１ａにドリフトピン９を貫入して下耐火構造材柱６と耐火構造材梁１１とを接合する。次に、上階の床スラブを打設した後に、下耐火構造材柱６の突出部６２ｄが上耐火構造材柱７の挿入凹部７ａに挿入されるように上耐火構造材柱７を配置し、貫通孔７ｂにドリフトピン９を貫入して下耐火構造材柱６と上耐火構造材柱７とを接合する。このとき、貫通孔６ａのうち下燃え止まり層６３に形成されている挿通孔６３ａに、下燃え止まり層６３と同じ材質の封入部材６３ｂを封入し、貫通孔６ａのうち下燃えしろ層６４に形成されている挿通孔６４ａに、下燃えしろ層６４と同じ材質の封入部材６４ｂを封入する。また、貫通孔７ｂのうち上燃え止まり層７３に形成されている挿通孔７３ａに、上燃え止まり層７３と同じ材質の封入部材７３ｂを封入し、貫通孔７ｂのうち上燃えしろ層７４に形成されている挿通孔７４ａに、上燃えしろ層７４と同じ材質の封入部材７４ｂを封入する。
【００６２】
本実施形態の耐火構造材柱６、７の接合方法によれば、鋼板８が配置される下柱凹部６２ｃを、一対の下端板部６２ａに形成した後に、一対の下端板部６２ａと下内側木質部６２ｂとを積層し、一対の下端板部６２ａ間に亘るビス５を貫入させ、上柱凹部７２ｃを、一対の上端板部７２ａに形成した後に、一対の上端板部７２ａと上内側木質部７２ｂとを積層し、一対の上端板部７２ａ間に亘るビス５を貫入させて一体化して２本の耐火構造材柱６、７を形成する。このため、鋼板８を挿入するための下柱凹部６２ｃ及び上柱凹部７２ｃを一対の下端板部６２ａ、一対の上端板部７２ａまたは下内側木質部６２ｂ、上内側木質部７２ｂの側面を加工して形成することが可能であり、下荷重支持層６２及び上荷重支持層７２に小口側から溝を形成するよりも簡単に且つ短時間で耐火構造材柱６、７を形成することが可能である。
【００６３】
また、鋼板８を備えた下耐火構造材柱６を上耐火構造材柱７に挿入して、鋼板８が挿入された上耐火構造材柱７の一対の上端板部７２ａ間に亘るドリフトピン９を貫入させるだけで容易に下耐火構造材柱６と上耐火構造材柱７とをより強固に接合することが可能である。
【００６４】
図６は、耐火構造材柱の接合構造の他の実施例を示す斜視図である。図７は、耐火構造材柱の接合構造の他の実施例を示し積層方向と直交する方向に破断した縦断面図である。
【００６５】
上記実施形態においては、下耐火構造材柱６の上端部に耐火構造材梁１１が接合される下耐火構造材柱６と上耐火構造材柱７との接合構造を例に挙げて示したが、図６、図７に示すように、必ずしも耐火構造材梁１１は接合されていなくとも構わない。
【００６６】
上記実施形態においては、鋼板８を配置するための下柱凹部６２ｃ、上柱凹部７２ｃ、梁凹部１１２ｃをいずれも一対の下端板部６２ａ、一対の上端板部７２ａ、一対の梁端板部１１２ａに設ける例について説明したが、対面する端板部と内側木質部とのいずれか一方に設けられていれば構わない。
【００６７】
また、上記実施形態においては、下燃え止まり層６３および上燃え止まり層７３に形成されている挿通孔６３ａ、７３ａに、下燃え止まり層６３および上燃え止まり層７３と同じ材質の封入部材６３ｂ、７３ｂを封入した例について説明したが、挿通孔６３ａ、７３ａには、燃え止まり機能を有する部材が封入されていれば、下燃え止まり層６３および上燃え止まり層７３と同じ材質の部材でなくとも構わない。
【００６８】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６９】
１  耐火構造材
２  荷重支持層
３  燃え止まり層
４  燃えしろ層
５  ビス（綴り材）
６  下耐火構造材柱（第一の耐火構造材柱）
６ａ  貫通孔
７  上耐火構造材柱（第二の耐火構造材柱）
７ａ  挿入凹部
７ｂ  貫通孔
８  鋼板
９  ドリフトピン（接合綴り材）
１０  スラブ
１１  耐火構造材梁
１１ａ  貫通孔
１２  空隙部
２１  木質ブロック（木質板材）
２１ａ  端板部
２１ｂ  内側木質部
６２  下荷重支持層（第一の荷重支持層）
６２ａ  下端板部（第一の端板部）
６２ｂ  下内側木質部（第一の内側木質部）
６２ｃ  下柱凹部（第一凹部）
６２ｄ  突出部
６２ｅ  上面
６３  下燃え止まり層（第一燃え止まり層）
６３ａ  挿通孔
６３ｂ  封入部材
６４  下燃えしろ層（第一燃えしろ層）
６４ａ  挿通孔
６４ｂ  封入部材
７２  上荷重支持層（第二の荷重支持層）
７２ａ  上端板部（第二の端板部）
７２ｂ  上内側木質部（第二の内側木質部）
７２ｃ  上柱凹部（第二凹部）
７２ｄ  下面
７３  上燃え止まり層（第二燃え止まり層）
７３ａ  挿通孔
７３ｂ  封入部材
７４  上燃えしろ層（第二燃えしろ層）
７４ａ  挿通孔
７４ｂ  封入部材
８１  梁接合部
１１２  梁荷重支持層
１１２ａ  梁端板部
１１２ｂ  梁内側木質部
１１２ｃ  梁凹部
１１３  梁燃え止まり層
１１４  梁燃えしろ層
【図１】
0006592957.tif 000002
【図２】
0006592957.tif 000003
【図３】
0006592957.tif 000004
【図４】
0006592957.tif 000005
【図５】
0006592957.tif 000006
【図６】
0006592957.tif 000007
【図７】
0006592957.tif 000008